(57)【要約】【課題】底面全面の水がスムーズに排水されて乾燥までの時間を短くできる洗い場用床パン及び浴槽を提供する。【解決手段】床パン本体１または浴槽本体５の底面の全面に亙って微細突起３が各微細突起３の頂点が同面に位置するように設けられる際に、微細突起３の頂点より頂面の高さが低い低凸面部４を介して高さの低い微細突起３ａを多数突設した低微細突起群７と、低凸面部４を介さずに高さの高い微細突起３ｂを多数突設した高微細突起群８とが設けられる。低微細突起群７を島状にして床パン本体１または浴槽本体５の底面の全面に点在するように設けられると共に島状の低微細突起群７以外の部分が高微細突起群８とされるか、或いは高微細突起群８を島状にして床パン本体１または浴槽本体５の底面の全面に点在するように設けられると共に島状の高微細突起群８以外の部分が低微細突起群７とされる。【選択図】        図１
2006125155.tif 000002
【特許請求の範囲】
【請求項１】
床パン本体の底面に排水口等の排水部に向かって低くなるように全面に水勾配が設けられ、この床パン本体の底面の全面に亙って微細突起が各微細突起の頂点が同面に位置するように設けられる際に、微細突起の頂点より頂面の高さが低い低凸面部を介して高さの低い微細突起を多数突設した低微細突起群と、低凸面部を介さずに高さの高い微細突起を多数突設した高微細突起群とが設けられ、低微細突起群を島状にして床パン本体の底面の全面に点在するように設けられると共に島状の低微細突起群以外の部分が高微細突起群とされたことを特徴とする洗い場用床パン。
【請求項２】
床パン本体の底面に排水口等の排水部に向かって低くなるように全面に水勾配が設けられ、この床パン本体の底面の全面に亙って微細突起が各微細突起の頂点が同面に位置するように設けらる際に、微細突起の頂点より頂面の高さが低い低凸面部を介して高さの低い微細突起を多数突設した低微細突起群と、低凸面部を介さずに高さの高い微細突起を多数突設した高微細突起群とが設けられ、高微細突起群を島状にして床パン本体の底面の全面に点在するように設けられると共に島状の高微細突起群以外の部分が低微細突起群とされたことを特徴とする洗い場用床パン。
【請求項３】
浴槽本体の底面に排水口等の排水部に向かって低くなるように全面に水勾配が設けられ、この浴槽本体の底面の全面に亙って微細突起が各微細突起の頂点が同面に位置するように設けられる際に、微細突起の頂点より頂面の高さが低い低凸面部を介して高さの低い微細突起を多数突設した低微細突起群と、低凸面部を介さずに高さの高い微細突起を多数突設した高微細突起群とが設けられ、低微細突起群を島状にして浴槽本体の底面の全面に点在するように設けられると共に島状の低微細突起群以外の部分が高微細突起群とされたことを特徴とする浴槽。
【請求項４】
浴槽本体の底面に排水口等の排水部に向かって低くなるように全面に水勾配が設けられ、この浴槽本体の底面の全面に亙って微細突起が各微細突起の頂点が同面に位置するように設けられる際に、微細突起の頂点より頂面の高さが低い低凸面部を介して高さの低い微細突起を多数突設した低微細突起群と、低凸面部を介さずに高さの高い微細突起を多数突設した高微細突起群とが設けられ、高微細突起群を島状にして浴槽本体の底面の全面に点在するように設けられると共に島状の高微細突起群以外の部分が低微細突起群とされたことを特徴とする浴槽。
【発明の詳細な説明】
【技術分野】
【０００１】
本発明は、浴室の洗い場用床パンや浴槽の底面の構造に関するものである。
【背景技術】
【０００２】
近年、浴室の洗い場に用いるＦＲＰのような樹脂製の床パンとして、床パン本体の底面に滑り止めや模様を付与するために全面に亙って点在するように凸部を設けると共に床パン本体の底面の凸部以外の高さの低い部分を排水凹溝としてこの排水凹溝を床パン本体の排水口等の排水部に連続させ、排水凹溝の表面に親水性を持たせるために微細な凹凸を設けたものが提案されている（例えば、特許文献１参照）。
【０００３】
床パンの湯水を排水するとき、床パンの全面から排水口等の排水部に向けて水勾配によって排水されるが、排水する水量が少なくなってきたとき主に排水凹溝に沿って排水されるようになる。このとき排水凹溝の表面に微細な凹凸を設けることによって親水性を持たせてあるために表面張力により水玉ができず、排水口等の排水部まで排水凹溝の水が繋がっている間はその水の誘導により水勾配の作用と相俟って排水される。最終的には排水凹溝全体に水が薄く広がって自然乾燥されるようになっている。  
【特許文献１】特開２００４−２５１０９５号公報
【発明の開示】
【発明が解決しようとする課題】
【０００４】
上記従来例のものにあっては、床パンに凸部を点在させて設けてあるために滑り止めできると共に模様を付与して外観的に変化を持たせることができ、しかも排水凹溝に微細な凹凸を設けて親水性を持たせてあるために排水凹溝に水玉ができたりしにくく、水がスムーズに排水されて床パンの乾燥が速くなるが、凸部が全面に亙って点在して存在しているために凸部が排水を阻害する可能性がある。つまり排水水量が少なくなってきたとき、主に排水凹溝から排水されるが、凸部があるために排水経路が長くなったり、迂回したりして排水が阻害されるおそれがあり、また凸部があるために排水凹溝の表面に親水性があっても凸部近傍で水玉ができて排水されにくくなり、床パンの乾燥まで時間がかかるという問題がある。
【０００５】
本発明は上記の従来の問題点に鑑みて発明したものであって、底面全面の水がスムーズに排水されて乾燥までの時間を短くできる洗い場用床パン及び浴槽を提供することを課題とするものである。
【課題を解決するための手段】
【０００６】
上記課題を解決するために本発明の請求項１の洗い場用床パンＡは、床パン本体１の底面に排水口２等の排水部に向かって低くなるように全面に水勾配が設けられ、この床パン本体１の底面の全面に亙って微細突起３が各微細突起３の頂点が同面に位置するように設けられる際に、微細突起３の頂点より頂面の高さが低い低凸面部４を介して高さの低い微細突起３ａを多数突設した低微細突起群７と、低凸面部４を介さずに高さの高い微細突起３ｂを多数突設した高微細突起群８とが設けられ、低微細突起群７を島状にして床パン本体１の底面の全面に点在するように設けられると共に島状の低微細突起群７以外の部分が高微細突起群８とされたことを特徴とする。
【０００７】
また本発明の請求項２の洗い場用床パンＡは床パン本体１の底面に排水口２等の排水部に向かって低くなるように全面に水勾配が設けられ、この床パン本体１の底面の全面に亙って微細突起３が各微細突起３の頂点が同面に位置するように設けられる際に、微細突起３の頂点より頂面の高さが低い低凸面部４を介して高さの低い微細突起３ａを多数突設した低微細突起群７と、低凸面部４を介さずに高さの高い微細突起３ｂを多数突設した高微細突起群８とが設けられ、高微細突起群８を島状にして床パン本体１の底面の全面に点在するように設けられると共に島状の高微細突起群８以外の部分が低微細突起群７とされたことを特徴とする。
【０００８】
また本発明の請求項３の浴槽Ｂは、浴槽本体５の底面に排水口６等の排水部に向かって低くなるように全面に水勾配が設けられ、この浴槽本体５の底面の全面に亙って微細突起３が各微細突起３の頂点が同面に位置するように設けられる際に、微細突起３の頂点より頂面の高さが低い低凸面部４を介して高さの低い微細突起３ａを多数突設した低微細突起群７と、低凸面部４を介さずに高さの高い微細突起３ｂを多数突設した高微細突起群８とが設けられ、低微細突起群７を島状にして浴槽本体５の底面の全面に点在するように設けられると共に島状の低微細突起群７以外の部分が高微細突起群８とされたことを特徴とする。
【０００９】
また本発明の請求項４の浴槽Ｂは、浴槽本体５の底面に排水口６等の排水部に向かって低くなるように全面に水勾配が設けられ、この浴槽本体５の底面の全面に亙って微細突起３が各微細突起３の頂点が同面に位置するように設けられる際に、微細突起３の頂点より頂面の高さが低い低凸面部４を介して高さの低い微細突起３ａを多数突設した低微細突起群７と、低凸面部４を介さずに高さの高い微細突起３ｂを多数突設した高微細突起群８とが設けられ、高微細突起群８を島状にして浴槽本体５の底面の全面に点在するように設けられると共に島状の高微細突起群８以外の部分が低微細突起群７とされたことを特徴とする。
【００１０】
上記の洗い場用床パンＡや浴槽Ｂは、床パン本体１または浴槽本体５の底面に排水部に向かって低くなるように全面に水勾配が設けられ、この床パン本体１または浴槽本体５の底面に全面に亙って微細突起３が各微細突起３の頂点が同面に位置するように設けられたことにより、底面全面を排水面とすると共に底面全面に親水性を持たせることができるものであって、従来の凸部のように排水を阻害するものがなくて全面に亙って水玉ができたりすることがないと共に全面に亙って最短の距離で排水されてスムーズに排水され、さらに全面に亙る微細突起３の頂点が同面であるために全面に亙って表面が同一状態となって全面に亙って均一に流れるように排水され、乾燥するまでの時間を短縮できる。また微細突起３の頂点より頂面の高さが低い低凸面部４を介して高さの低い微細突起３ａを多数突設した低微細突起群７と低凸面部４を介さずに高さの高い微細突起３ｂを多数突設した高微細突起群８とが設けられ、低微細突起群７を島状にして床パン本体１または浴槽本体５の底面の全面に点在するように設けられると共に島状の低微細突起群７以外の部分が高微細突起群８とされるか、あるいは、高微細突起群８を島状にして床パン本体１または浴槽本体５の底面の全面に点在するように設けられると共に島状の高微細突起群８以外の部分が低微細突起群７とされたことにより、島状の低微細突起群７が高微細突起群８の中に点在するか、島状の高微細突起群８が低微細突起群７に点在するようになり、微細突起３の頂点が同面であっても模様があるように見えて外観に変化を持たせることができると共に滑り止めもできる。
【発明の効果】
【００１１】
本発明は叙述の如く構成されているので、底面全面を排水面とすると共に底面全面に親水性を持たせることができるものであって、従来の凸部のように排水を阻害するものがなくて全面に亙って水玉ができたりすることがないと共に全面に亙って最短の距離で排水され、さらに全面に亙って均一に流れるように排水され、スムーズに排水されて乾燥するまでの時間を短縮できるという効果があり、しかも外観が模様状になって外観に変化を持たせることができると共に滑り止めできるという効果がある。
【発明を実施するための最良の形態】
【００１２】
以下、本発明を添付図面に示す実施形態に基いて説明する。浴室９内に図２に示すようにＦＲＰのような樹脂製の洗い場用床パンＡとＦＲＰのような樹脂製の浴槽Ｂとが並設してある。この洗い場用床パンＡの床パン本体１の底面の適所には排水口２等の排水部を設けてあり、床パン本体１の底面には排水部に向けて低くなるように水勾配を設けてある。図２で矢印ａの方向に低くなるように水勾配を設けてある。浴槽Ｂの浴槽本体５の底面には排水口６等の排水部を設けてあり、浴槽本体５の底面に排水部に向けて低くなるように水勾配を設けてある、図２で矢印ｂの方向に低くなるように水勾配を設けてある。
【００１３】
そして本発明では図１（ａ）に示すように床パン本体１の底面や浴槽本体５の底面の全面に亙るように数十μｍ程度の高さの微細突起３を突設してある。この微細突起３は円錐状等の錐状の突起であり、また多数の微細突起３を設けるとき、微細突起３の頂点は同面（水勾配に沿った平面）となるように突設してある。微細突起３の高さは数十μｍ程度の高さであり、２０〜３０μｍ以上であると良好な親水性を発揮する。なお、２０μｍ以下であると撥水性が出てしまう。また本発明では微細突起３を微細突起３の頂点が同面になるように突設するとき、全ての微細突起３の高さを同じにするのでなく、微細突起３として高さの低い微細突起３ａと高さの高い微細突起３ｂとを設けてある。
【００１４】
つまり、床パン本体１の底面や浴槽本体５の底面に微細突起３を設けるとき、微細突起３の頂面より高さの低い低凸面部４を介して高さの低い微細突起３ａを多数突設した低微細突起群７と、低凸面部４を介さずに高さの高い微細突起３ｂを多数突設した高微細突起群８とが設けられる。このように低凸面部４の上に高さの低い微細突起３ａを設け、低凸面部４以外のところに高さの高い微細突起３ｂを設けることにより、低微細突起群７の高さの低い微細突起３ａの頂点と、高微細突起群８の高さの高い微細突起３ｂの頂点とは同面のレベルとなる。このとき高さの高い微細突起３ａの高さは例えば６０μｍ程度であり、高さの低い微細突起３ｂの高さは４０μｍ程度である。
【００１５】
図１（ｂ）に示すものでは低微細突起群７を島状にして床パン本体１や浴槽本体５の底面の全面に亙って点在するように設けてあり、島状の低微細突起群７以外の部分は高微細突起群８となっている。また図３に示すものでは、高微細突起群８を島状にして床パン本体１や浴槽本体の５の底面に全面に亙って点在するように設けてあり、島状の高微細突起群８以外の部分は低微細突起群７となっている。
【００１６】
また上記のように微細突起３として高さの低い微細突起３ａと高さの高い微細突起３ｂを設けたが、高さの低い微細突起３ａの外形状が高さの高い微細突起３ｂの上部の外形状と同じ形状となっている。つまり、図４に示すように高さの高い微細突起３ｂを切断線ｃで切断したときの切断線ｃより上の部分の外形状と高さの低い微細突起３ｂの外形状と同じ形状になっている。このようになっていると、床パン本体１や浴槽本体６をＦＲＰ等の樹脂で成形する金型における上記微細突起３を形成するため部分の加工が容易になる。
【００１７】
上記のように床パン本体１の底面と浴槽本体６の底面の全面に亙って頂点が同面になる微細突起を設けてあるために全面に亙って微細突起３の凹凸による親水性があり、また従来のように凸部がないために全面に亙って排水面となるものである。これにより、底面全面が排水面となって水勾配によって排水部に水が流れると共に親水性により水玉ができたりすることがなく、排水水量が少なくなっても排水部と水の流れが繋がっている状態では排水され続けて全面に亙って水が残らないようにスムーズに排水される。また底面の全面に亙って親水性を有するために水が残っても水玉ができることなく薄く残るだけで、自然乾燥により短時間で乾燥できる。このとき微細突起３の頂点が同面になっているため全面に亙って表面が同一状態となり、全面に亙って均一に水が流れて排水が一層ズムーズに行われる。
【００１８】
また島状の低微細突起群７が点在すると共に島状の低微細突起群７以外の部分が高微細突起群８となるか、あるいは島状の高微細突起群８が点在すると共に島状の高微細突起群８以外の部分が低微細突起群７となることにより、低い微細突起３ａの頂点と高い微細突起３ｂの頂点が同面であっても低微細突起群７と高微細突起群８とが区別された模様となり、外観に変化ができる。また低微細突起群７と高微細突起群８とがあることで滑り止め効果もある。
【図面の簡単な説明】
【００１９】
【図１】（ａ）は本発明の床パン本体や浴槽本体に微細突起を設けた状態の一例を示す断面図、（ｂ）は（ａ）の概略平面図である。
【図２】浴室の一例を示す一部切欠平面図である。
【図３】同上の他例を示す概略平面図である。
【図４】同上の微細突起の形状を説明する説明図である。
【符号の説明】
【００２０】
Ａ  洗い場用床パン
Ｂ  浴槽  
１  床パン本体
２  排水口
３  微細突起
３ａ  高さの低い微細突起
３ｂ  高さの高い微細突起
４  低凸面部
５  浴槽本体
６  排水口
７  低微細突起群
８  高微細突起群
【図１】
2006125155.tif 000003
【図２】
2006125155.tif 000004
【図３】
2006125155.tif 000005
【図４】
2006125155.tif 000006